(57)【要約】【課題】  雨水を貯留することができて、しかも軒先の外観を損なうことなく施工を簡単に行うことができる軒樋及び雨樋装置を提供することを目的とする。【解決手段】  軒先に軒樋１、１が配設されており、該軒樋１、１の底壁１１に排水ドレンが２ヵ所設けられ、一方の排水ドレン５には、下方に竪樋７、７０が接続され、該竪樋７０の途中部に止水バルブ７２が取付けられ、他方の排水ドレン６は、貯留水を一定水位に保持する高さに上方に突出して筒状の上部落とし口６１３が設けられると共に下方に竪樋８が接続されている。また、軒樋本体内の前側壁１２と後側壁１３との間に跨がって通水性を有する仕切板２０が設けられている。【選択図】      図４  
2005113459.tif 000002
【特許請求の範囲】
【請求項１】
軒先に軒樋が配設されており、該軒樋の底壁に排水ドレンが２ヵ所設けられ、一方の排水ドレンには、下方に竪樋が接続され該竪樋の途中部に止水バルブが取付けられ、他方の排水ドレンには、貯留水を一定水位に保持する高さに上方に突出して筒状の上部落とし口が設けられると共に下方に竪樋が接続されていることを特徴とする雨樋装置。
【請求項２】
軒樋本体内の前側壁と後側壁との間に跨がって通水性を有した仕切板が設けられていることを特徴とする雨水貯留用軒樋。
【発明の詳細な説明】
【技術分野】
【０００１】
本発明は、雨水が貯留可能な雨樋装置及びそれに用いる軒樋に関する。
【背景技術】
【０００２】
従来、屋根の軒先から流れ落ちる雨水を軒樋で受けて下方に排水する雨樋装置として、例えば、軒樋本体の前壁板を後壁板より高く形成した軒樋を用いたものが知られている。この軒樋は、屋根の軒先に取付けた場合、前側から見ると軒先の屋根瓦が覆い隠されることになるので、建物の軒先回りの意匠的外観を向上させることができる。（例えば、特許文献１を参照。）。
【０００３】
ところで、上記従来の雨樋装置にあっては、軒先に取付けた軒樋は雨水を受けて下方に排水し、下方に接続された竪樋を介して地中に埋設された排水管へと排水させてしまうので、雨水を利用することができない。
【０００４】
そこで、本出願人は、雨水を貯留することができる雨樋装置を提案した。この雨水装置は、軒先に軒樋が上下に２段配設され、上段の軒樋で雨水を受けて下段の軒樋に排水し、下段の軒樋で上段の軒樋から排水された雨水を貯留するようにされたものである。そして、下段の軒樋内には貯留水を一定水位に保持するために、排水ドレンの排水流入口を一定高さに突出させている。（例えば、特許文献２を参照。）。
【特許文献１】特開平１０−１０２６９９号公報（第１図）
【特許文献２】特開２００２−３６４１３１号公報（第２図）
【発明の開示】
【発明が解決しようとする課題】
【０００５】
しかしながら、上記特許文献２に記載された雨樋装置にあっては、軒樋を上下２段に樋吊具を介して鼻隠し板に取付ける場合、上下の軒樋を平行に水勾配を取りながら施工するためその作業が煩瑣であり、また、鼻隠し板は上下方向に広幅の寸法の板材を準備する必要がある。更に、上段の軒樋に加えて下段の軒樋が余分に必要で、また鼻隠し板が広幅となるために、部材コストが高くなるということがある。また、軒樋を上下２段に取付けると軒先は外観上見苦しくなるために、上下の軒樋に跨がって軒樋の前面側を飾り板で覆い画す必要がある。そのため施工がより煩雑でコストが上昇するという問題点もある。
【０００６】
本発明は、このような事情に鑑みて、雨水を貯留することができて、しかも軒先の外観を損なうことなく施工を簡単に行うことができる軒樋及び雨樋装置を提供することを目的としている。
【課題を解決するための手段】
【０００７】
このような目的を達成するために、請求項１に記載の発明に係わる雨樋装置（以下、「請求項１の軒樋」と記す）は、軒先に軒樋が配設されており、該軒樋の底壁に排水ドレンが２ヵ所設けられ、一方の排水ドレンには、下方に竪樋が接続され該竪樋の途中部に止水バルブ７２が取付けられ、他方の排水ドレンには、貯留水を一定水位に保持する高さに上方に突出して筒状の上部落とし口が設けられると共に下方に竪樋が接続されていることを特徴としている。
【０００８】
また、請求項２に記載の発明に係わる雨水貯留用軒樋（以下、「請求項２の軒樋」と記す）は、軒樋本体内の前側壁と後側壁との間に跨がって通水性を有した仕切板が設けられていることを特徴としている。
【発明の効果】
【０００９】
請求項１の雨樋装置によれば、軒先に軒樋が配設されており、該軒樋の底壁に排水ドレンが２ヵ所設けられ、一方の排水ドレンには、下方に竪樋が接続され該竪樋の途中部に止水バルブが取付けられ、他方の排水ドレンには、貯留水を一定水位に保持する高さに上方に突出して筒状の上部落とし口が設けられると共に下方に竪樋が接続されているので、軒樋は一段でも雨水を貯留することができ、しかも軒先の外観を損なうことなく施工に余分の手間を取らせることがない。
【００１０】
請求項２の軒樋によれば、軒樋本体内の前側壁と後側壁との間に跨がって通水性を有した仕切板が設けられているので、落ち葉や枯れ枝等を通水性の仕切板で除去して雨水を貯留することができ、しかも、貯留水が上から覗いても見えない。従って、通水性の仕切板によって、日光を遮ることができるから、貯留水の部分に藻や草が生えることがない。
【発明を実施するための最良の形態】
【００１１】
次に、本発明の実施の形態の一例を、図１〜図８に基づいて説明する。  
【００１２】
図において、図１は本発明の雨樋装置が軒先に取付けられた状態を示す正面図、図２は図１におけるＡ−Ａ線断面図、図３は図１におけるＢ−Ｂ線断面図、図４は本発明の軒樋を示す斜視図、図５は本発明の実施例において使用される一方の排水ドレンを示す斜視図、図６は本発明の実施例において使用される他方の排水ドレンを示す分解斜視図、図７は一方の排水ドレンの接続手順を説明する分解側面図、図８は他方の排水ドレンの接続手順を説明する分解側面図である。
【００１３】
図１において、雨樋装置Ａは軒先に軒樋１、１同士が長手方向端部を互いに突き合わせた状態で樋継手３を介して配設され、この軒樋１の端部に止まり３０が取付けられ屋根ｆの軒先から流下した雨水を受けて貯留するようなされている。また図２〜３にも示すように、軒樋１は鼻隠し板ｋに取付けられた雨樋吊具４により吊設されている。また、軒樋１には２ヵ所に排水ドレン５、６が設けられ、一方の排水ドレン５は下方に竪樋７が接続され、他方の排水ドレン６は下方に開放している竪樋８が接続されている。
【００１４】
軒樋１は押出成形品であり、図４に示すように、本体部が平坦な底壁１１の前側部から前側壁１２が立設され、かつ底壁１１の後側部から後側壁１３が立設された溝形断面に形成され、軒樋本体内の前側壁１２と後側壁１３との間に跨がって通水性の仕切板２０が一体に形成されており、この仕切板２０は孔径が５ｍｍ程度の排水孔２１を多数形成することにより通水性を有している。
【００１５】
尚、前側壁１２は、中程が張り出すように張出部１２０が形成されており、上部前壁１２１と下部前壁１２２からなる。下部前壁１２２は、底壁１１から屋外側に広がるように立ち上げられ、上部前壁１２１は張出部１２０から屋内側に向けて傾斜して形成されている。
【００１６】
また、前記前側壁１２の上端には前耳１４が形成されており、この前耳１４は内面側に溝１４１が形成されるとともに上縁に係止爪１４２が設けられている。更に、後側壁１３の上端には後耳１５が形成されており、この後耳１５は、内方に向けて突出された係止突起１５１が形成されている。
尚、前記前耳１４の溝１４１及び後耳１５の係止突起１５１は、軒樋１を雨樋吊具４に取り付ける際の取付用溝と突起となる。
【００１７】
軒樋１を吊設する雨樋吊具４は、図２〜３に示すように、取付部４１と支持部材４２とからなり、支持部材４２には、両端に前耳保持部４３及び後耳保持部４４が設けられている。
【００１８】
一方の排水ドレン５は、図５に示すように取付基板５１に円筒状の落とし口５２が形成され、下向きに開放されており、落とし口５２から雨水が下方に流下するようになっている。落とし口５２の下方に竪樋７が接続するようになっている。尚、図中の符号５３はビス等の固定具を挿通させる取付孔である。
【００１９】
他方の排水ドレン６は、軒樋１内に突出して取付けられる筒状のドレン本体６１と、ドレン本体６１に螺合する筒状の接続部材６２とから構成されている。
ドレン本体６１は、筒状体の中程に鍔状の取付部６１１が形成されるとともに、取付部６１１より下側の下部落とし口６１２の外周面に雄ねじ６１２ａが螺設され、取付部６１１より上側の上部落とし口６１３の上端が排水流入口６１４とされ、鍔状の取付部６１１から排水流入口６１４までが貯留水を一定水位に保持する高さｈに設定されている。
【００２０】
一方、接続部材６２は、短筒体６２１の内周壁に前記下部落とし口６１２の雄ねじ６１２ａに螺合する雌ねじ６２１ａが形成され、短筒体６２１の上縁には鍔片６２２が外方に突出して形成されている。接続部材６２の短筒体６２１には下方から竪樋８に接続されるようになっている。
【００２１】
上記の軒樋１を使用して雨樋装置を組み立てるには、先ず、軒樋１の底壁１１に一方の排水ドレン５を取り付ける位置に排水口１１ａを開口し、他方の排水ドレン６を取り付ける位置に貫通口１１ｂを開口するとともに仕切板２０にも貫通口２０ｂを開口する。
【００２２】
続いて、軒樋１の下側から排水ドレン５の落とし口５２を軒樋１の排水口１１ａに合わせて取付基板５１をパッキン５ａを介在させてビス５４により固定する。同じく、軒樋１の上方からドレン本体６１とパッキン６ａを仕切板２０の貫通口２０ｂから挿着して、ドレン本体６１の下部落とし口６１２を軒樋１の貫通口１１ｂに挿入して下方に突出させ、軒樋１から下方に突出した下部落とし口６１３の雄ねじ６１３ａに接続部材６２の雌ねじ６２１ａを螺合して、ドレン本体６１の鍔状の取付部６１２と接続部材６２の鍔片６２２とにより、軒樋１の貫通口１１ａの周縁をパッキン６ａを介在させて挟着固定する。
【００２３】
次に、軒先の鼻隠し板ｋに雨樋吊具４の取付部４１をネジ等の固定具により取付けてから、軒樋吊具４の前耳保持部４３に軒樋１の前耳１４を係止させ、後耳保持部４４に軒樋１の後耳１５を挿入して係止させる。
【００２４】
最後に、軒樋１を樋継手３で接続してから、一方の排水ドレン５の落とし口５２にエルボ７１を取付け、このエルボ７１に横引きの竪樋７を接続し、エルボ７１を介して止水バルブ７２が取付けられた竪樋７０を接続すると共に、他方の排水ドレン６の接続部材６２に下方に開放した竪樋８を接続する。
【００２５】
竪樋７０に取付けられた止水バルブ７２を閉じておくと、屋根ｆから流れ落ちた雨水は軒樋１内に流れ落ちて、軒樋１の排水ドレン６の排水流入口６１４の高さｈの水位まで貯留される。
更に降り続いた雨は、排水ドレン６の排水流入口６１４からオーバーフローにより竪樋８へ流入し地中に排水される。これにより、軒樋１には一定量の雨水が貯留される。
【００２６】
軒樋１に貯留された雨水を、庭の散水等に利用するには、竪樋７０の先端口にホースを接続してバルプ７２を開いて必要量の雨水を取り出せばよい。
【００２７】
以上、本発明実施例を図面に基づいて説明してきたが、具体的な構成はこの実施例に限られるものではなく本発明の要旨を逸脱しない範囲の設計変更等があっても本発明に含まれる。
【００２８】
例えば、図１に示す実施例では、雨樋装置Ａは軒樋１、１同士が長手方向端部を樋継手３を介して互いに突き合わした状態で接続され、一方の軒樋１には一方の排水ドレン５を設け、他方の軒樋１には他方の排水ドレン６を設けるようにしたが、一方の軒樋１に排水ドレン５と他方の排水ドレン６を近接させて設けるようにしてもよい。
【００２９】
また、図４に示す実施例では、軒樋１は排水孔２１が形成された仕切板２０が軒樋本体と一体に形成されたものであるが、別体に形成し着脱自在としてもよい。仕切板を着脱自在とすることにより、排水ドレン５、６の軒樋１への取付け作業が容易となる。
【図面の簡単な説明】
【００３０】
【図１】本発明の雨水貯留用雨樋装置が軒先に取付けられた状態を示す正面図である。
【図２】図１におけるＡ−Ａ線断面図である。
【図３】図１におけるＢ−Ｂ線断面図である。本発明の軒樋を示す斜視図
【図４】本発明の雨水貯留用軒樋を示す斜視図である。
【図５】本発明の実施例において使用される一方の排水ドレンを示す斜視図である。
【図６】本発明の実施例において使用される他方の排水ドレンを示す斜視図である。
【図７】一方の排水ドレンの接続手順を説明する分解側面図である。
【図８】他方の排水ドレンの接続手順を説明する分解側面図である。
【符号の説明】
【００３１】
Ａ            雨樋装置
１            軒樋
２            仕切板
３            樋継手
４            雨樋吊具                                                
５            一方の排水ドレン
６            他方の排水ドレン
７、７０      竪樋
７２          バルブ
８            竪樋
【図１】
2005113459.tif 000003
【図２】
2005113459.tif 000004
【図３】
2005113459.tif 000005
【図４】
2005113459.tif 000006
【図５】
2005113459.tif 000007
【図６】
2005113459.tif 000008
【図７】
2005113459.tif 000009
【図８】
2005113459.tif 000010